(57)【要約】第１の解像度の第１の入力画像を第２の解像度の出力画像へ変換する画像変換ユニットであって、第１の入力画像の画素値及び第２の入力画像の画素値に基づいて第１のフィルタ係数を計算する係数計算手段を有する画像変換ユニットである。係数計算手段は、第１の画像の入力画素値及び第１のフィルタ係数に基づいて出力画像の画素値を計算する適応フィルタ手段を制御するようにされる。
2006500812.tif 000002
【特許請求の範囲】
【請求項１】
第１の解像度の第１の画像及び前記第１の解像度の第２の画像を有する第１の画像シーケンスを第２の解像度の第３の画像を有する第２の画像シーケンスへ変換する画像変換ユニットであって、
前記画像変換ユニットは、
前記第１の画像の画素値に基づいて第１のフィルタ係数を計算する係数計算手段と、
前記第１の画像の画素値のうちの最初のもの及び前記第１のフィルタ係数に基づいて前記第３の画像の第３の画素値を計算する適応フィルタ手段とを有し、
前記係数計算手段は、前記第２の画像の更なる画素値に基づいて前記第１のフィルタ係数を計算するようにされることを特徴とする、画像変換ユニット。
【請求項２】
前記画像変換ユニットは、前記第１の画像の前記画素値を前記第１の画像の第１の部分から取得し、前記第２の画像の前記更なる画素値を前記第２の画像の第２の部分から取得し、前記第１の部分と前記第２の部分は空間的に対応することを特徴とする、請求項１記載の画像変換ユニット。
【請求項３】
前記画像変換ユニットは、前記第１の画像の前記画素値を前記第１の画像の第１の部分から取得し、前記第２の画像の前記更なる画素値を前記第２の画像の第２の部分から取得し、前記第１の部分と前記第２の部分は動きの軌跡上にあることを特徴とする、請求項１記載の画像変換ユニット。
【請求項４】
前記係数計算手段は、最適化アルゴリズムにより前記第１のフィルタ係数を計算するようにされることを特徴とする、請求項１記載の画像変換ユニット。
【請求項５】
第１の解像度の第１の画像及び前記第１の解像度の第２の画像を有する第１の画像シーケンスを第２の解像度の第３の画像を有する第２の画像シーケンスへ変換する方法であって、
前記方法は、
前記第１の画像の画素値に基づいて第１のフィルタ係数を計算する段階と、
前記第１の画像の画素値のうちの最初のもの及び前記第１のフィルタ係数に基づいて前記第３の画像の第３の画素値を計算する段階とを有し、
前記第１のフィルタ係数は前記第２の画像の更なる画素値に基づいて計算されることを特徴とする、方法。
【請求項６】
第１の画像シーケンスに対応する信号を受信する受信手段と、
請求項１に記載の、前記第１の画像シーケンスを第２の画像シーケンスへ変換する画像変換ユニットとを有する、
画像処理装置。
【請求項７】
前記第２の画像シーケンスを表示する表示装置を更に有することを特徴とする、請求項７記載の画像処理装置。
【請求項８】
テレビジョン受像機であることを特徴とする、請求項８記載の画像処理装置。
【発明の詳細な説明】
【技術分野】
【０００１】
本発明は、第１の解像度の第１の画像及び第１の解像度の第２の画像を有する第１の画像シーケンスを第２の解像度の第３の画像を有する第２の画像シーケンスへ変換する画像変換ユニットであって、
画像変換ユニットは、
第１の画像の画素値に基づいて第１のフィルタ係数を計算する係数計算手段と、
第１の画像の画素値のうちの最初のもの及び第１のフィルタ係数に基づいて第３の画像の第３の画素値を計算する適応フィルタ手段とを有する画像変換ユニットに関連する。
【０００２】
本発明は更に、第１の解像度の第１の画像及び第１の解像度の第２の画像を有する第１の画像シーケンスを第２の解像度の第３の画像を有する第２の画像シーケンスへ変換する方法であって、
方法は、
第１の画像の画素値に基づいて第１のフィルタ係数を計算する段階と、
第１の画像の画素値のうちの最初のもの及び第１のフィルタ係数に基づいて第３の画像の第３の画素値を計算する段階とを有する方法に関連する。
【０００３】
本発明は更に、
第１の画像シーケンスに対応する信号を受信する受信手段と、
上述の、第１の画像シーケンスを第２の画像シーケンスへ変換する画像変換ユニットとを有する、画像処理装置に関連する。
【背景技術】
【０００４】
ＨＤＴＶの出現により、標準精細度（ＳＤ）ビデオ素材が高精細度（ＨＤ）テレビジョン（ＴＶ）ディスプレイ上で見られることを可能とする空間アップコンバージョン技術の必要性が注目されている。従来の技術は、バイリニア補間等の線形補間方法、及び、多相低域通過補間フィルタを用いた方法である。線形補間方法は、その低い品質によりテレビジョン用途ではあまり人気がないが、多相低域通過補間フィルタは市販のＩＣ内で利用可能である。線形方法では、フレーム中の画素の数は増加されるが、スペクトルの高周波部分は拡張されず、すなわち、画像の知覚される鮮鋭度は高められない。換言すれば、ディスプレイの能力は完全には利用されていない。
【０００５】
従来の線形技術に加えて、このアップコンバージョンを達成するために多数の非線形アルゴリズムが提案されている。これらの技術は、コンテンツに基づく又はエッジに依存した空間アップコンバージョンと称されることがある。技術のうちの幾つかは、消費者電子機器市場で既に入手可能である。
【０００６】
冒頭の段落に記載の種類の画像変換ユニットの実施例は、非特許文献１に記載されている。この画像変換ユニットでは、補間アップコンバージョンフィルタのフィルタ係数は、ローカル画像コンテンツに適合される。補間アップコンバージョンフィルタのアパーチャは、以下の式１に示すような４次の補間アルゴリズムを用いる。
【０００７】
【数１】
2006500812.tif 000003
式中、ＦHD（ｉ，ｊ）はＨＤ出力画素の光度値であり、ＦSD（ｉ，ｊ）は入力画素の光度値であり、ｗiはフィルタ係数である。フィルタ係数は、最小平均平方（ＬＭＳ）最適化手順を用いてより大きいアパーチャから得られる。非特許文献１では、どのようにしてフィルタ係数が計算されるかが説明されている。従来技術による方法はまた、図１Ａ及び図１Ｂに関して説明される。方法は、ぼけを防止するようエッジを横切った補間ではなくエッジに沿った補間を目的とする。非特許文献１の著者は、エッジの向きが縮尺によっては変化しないという目的に適った仮定をしている。従って、係数は、ＬＭＳ法を用いることによりローカルウィンドウ内でＳＤ入力画像から近似されうる。
【０００８】
特許文献１による「New  Edge-Directed  Interpolation」法は、多くの画像部分において比較的良く動作するが、ＬＭＳ法に対して適当なウィンドウを選択するうえで問題がある。ｎ×ｍのサイズのウィンドウでは、（ｎ−２）（ｍ−２）個の式がある。実験的に、本願発明者は、４つの式を与える４×４のウィンドウは、ロバストなアップスケーリングを生じさせないことを見いだした。８×８のウィンドウ、即ち３６の式を用いて、よりよい結果が得られている。アップコンバージョンはよりロバストであったが、より多くのぼけもあった。これは、画像の統計が、より良い面積に亘って一定でないことにより想定され、これによりフィルタは簡単な平均化フィルタへ向かって集束する。結論として、ウィンドウのサイズの選択を複雑なものとする矛盾がある。一方では、ロバストさのために、ウィンドウの寸法は大きくなくてはならない。他方では、一定の画像の統計のために、ウィンドウのサイズは、できるかぎり小さくなくてはならない。最後に、ＬＭＳ最適化は、未知の係数があるため少なくとも同数の式を必要とし、これはウィンドウのサイズに対する下限を与える。
【非特許文献１】シン・リ（Xin  Li）外著、「New  Edge-Directed  Interpolation」、ＩＥＥＥ画像処理に関する報告書、第１０巻、第１０号、２００１年１０月、第１５２１乃至１５２７頁
【発明の開示】
【発明が解決しようとする課題】
【０００９】
本発明は、画像のぼけの量が比較的低い一方で比較的ロバストな冒頭の段落に記載の種類の画像変換ユニットを提供することを目的とする。
【課題を解決するための手段】
【００１０】
本発明の上述の目的は、係数計算手段は、第２の画像の更なる画素値に基づいて第１のフィルタ係数を計算するようにされることによって達成される。換言すれば、係数計算手段のアパーチャは、空間領域ではなく時間領域で拡大される。すると、異なった画像の対応するより小さい部分では、統計は、同じ画像中のより大きい部分の異なった位置におけるものよりも類似していると想定される。これは、特に、対応する画像部分が動きの軌跡に沿って得られる場合に予想される。従って、エッジの向きが縮尺とは独立であるとの想定に加えて、エッジの向きは動きに対して補正された場合に時間に亘って一定であることが想定される。画素値は、輝度値又は色値である。
【００１１】
更なる画素は、第１の画像の入力画素を出力画素へ、即ち第３の画像の画素へと処理する直接経路に適用されるのではなく、フィルタ係数を決定するよう制御経路に適用される。多数の入力フィールドの入力画素値を単一出力画像、即ちフレームの単一の出力画素値へ組み合わせることは、例えば、インタレース解除（デ・インタレース）として知られている。インタレース処理は、奇数画像ラインと偶数画像ラインを交互に伝送するための一般的なビデオ放送手順である。インタレース解除処理は、完全な垂直解像度を復元することを試み、即ち各画像に対して奇数のラインと偶数のラインを同時に利用可能とする。インタレース解除処理の目的は、順次のフィールド中のエイリアスを減少させることである。しかしながら、本発明による画像変換ユニットは、夫々の入力画像に基づいて入力画像の解像度を増加させることを目的とする。これは、エッジへの適合なしには生ずるであろうぼけの量を制限するためにエッジに適合される空間フィルタによって行われる。空間フィルタは、多数の入力画像に基づいて決定されるフィルタ係数によって制御される。
【００１２】
本発明による画像変換ユニットの実施例は、第１の画像の画素値を第１の画像の第１の部分から取得し、第２の画像の更なる画素値を第２の画像の第２の部分から取得し、第１の部分と第２の部分は空間的に対応するようにされる。この実施例の利点は、比較的簡単であることである。第２の画像からの適切な画素の取得は、追加的な計算がなく簡単である。第２の画像の多数の画素値の一時的な記憶が必要とされる。
【００１３】
本発明による画像変換ユニットの実施例は、第１の画像の画素値を第１の画像の第１の部分から取得し、第２の画像の更なる画素値を第２の画像の第２の部分から取得し、第１の部分と第２の部分は動きの軌跡上にあるようにされる。動きベクトルは、動き推定器によって与えられねばならない。これらの動きベクトルは、第１の部分と第２の部分の間の関係を示す。本実施例の利点は、第２のシーケンスの画像、即ち出力画像が比較的鮮鋭であることである。
【００１４】
本発明による画像変換ユニットの実施例では、係数計算手段は、最適化アルゴリズムにより第１のフィルタ係数を計算するようにされる。望ましくは、最適化アルゴリズムは最小平均平方アルゴリズムである。ＬＭＳアルゴリズムは、比較的簡単且つロバストである。
【００１５】
本発明は、画像ぼけの量が比較的低い一方で比較的ロバストな冒頭の段落に記載の種類の方法を提供することを更なる目的とする。
【００１６】
本発明のこの目的は、第１のフィルタ係数は第２の画像の更なる画素値に基づいて計算されることによって達成される。
【００１７】
本発明は、画像ぼけの量が比較的低い一方で比較的ロバストな画像変換ユニットを有する冒頭の段落に記載の種類の画像処理装置を提供することを更なる目的とする。
【００１８】
本発明のこの目的は、画像処理装置の係数計算手段が、第２の画像の更なる画素値に基づいて第１のフィルタ係数を計算するよう配置されることで達成される。画像処理装置は、任意に、第２の画像を表示する表示装置を有する。画像処理装置は、例えば、ＴＶ、セットトップボックス、ＶＣＲ（ビデオ・カセット・レコーダ）プレーヤ、又はＤＶＤ（ディジタル・バーサタイル・ディスク）プレーヤでありうる。
【００１９】
画像変換ユニットの変更及びそれらの変形は、上述の方法及び画像処理装置の変更及び変形に対応しうる。
【発明を実施するための最良の形態】
【００２０】
本発明による画像変換装置、方法、及び画像処理方法の上述の及び他の面については、添付の図面を参照して以下説明する実施及び実施例から明らかとなろう。幾つかの参照符号は、全ての図面を通じて同様の部分を指すのに用いられる。
【００２１】
図１Ａは、従来技術による画像変換ユニット１００の実施例を概略的に示す図である。画像変換ユニット１００は、入力コネクタ１０８に標準精細度（ＳＤ）画像が与えられ、出力コネクタ１１０に高精細度（ＨＤ）画像が与えられる。画像変換ユニット１００は、以下のものを含む。
・ＨＤ出力画素の位置に対応する、ＳＤ入力画像のうちの最初のものの中の特定の位置の第１の近傍内の、画素１乃至４（図１Ｂ参照）の第１の画素値の組を取得するようにされ、また、ＳＤ入力画像のうちの最初のものの中の特定の位置の第２の近傍内の、画素１乃至１６の第２の画素値の組を取得するようにされる、画素取得ユニット１０２。
・第１の画素値の組及び第２の画素値の組に基づいてフィルタ係数を計算するようにされた、フィルタ係数計算ユニット１０６。換言すれば、フィルタ係数は、ローカルウィンドウ内のＳＤ入力画像から近似される。これは、図１Ｂに関して説明される最小平均平方（ＬＭＳ）法を用いてなされる。
・第１の画素値の組及び式１に定義されるフィルタ係数に基づきＨＤ出力画素の画素値を計算する適応フィルタユニット１０４。従って、フィルタ係数計算ユニット１０６は、適応フィルタユニット１０４を制御するようにされる。
【００２２】
図１Ｂは、従来技術による方法を説明するために、ＳＤ入力画像の多数の画素１乃至１６と、ＨＤ出力画像の１つのＨＤ画素とを概略的に示す図である。ＨＤ出力画素は、画素１乃至４の４つの画素値の加重平均として補間される。これは、ＨＤ出力画素ＦHDの輝度値が、その４つのＳＤ近傍画素の輝度値の加重和を生じさせることを意味し、即ち、
【００２３】
【数２】
2006500812.tif 000004
であり、ＦSD（１）乃至ＦSD（４）は、４つのＳＤ入力画素１乃至４の画素値であり、ｗ1乃至ｗ4は、ＬＭＳ法によって計算されるべきフィルタ係数である。従来技術の方法が示された特許文献１の著者は、エッジの向きが縮尺によっては変化しないという目的に適った仮定をしている。この仮定により、最適フィルタ係数は、標準解像度格子上で補間されるものと同じである。
・画素１乃至５、７、１１及び４（これは、画素１がその４近傍から導出されうることを意味する。）
・画素２乃至６、８、３及び１２
・画素３乃至９、２、１３及び１５
・画素４乃至１、１０、１４、及び１６
これは、ＬＳＭ最適化と共に、ＨＤ出力画素を補間するための最適な４つのフィルタ係数が見つけられ得る一組の４つの線形式を与える。
【００２４】
Ｍを、ＳＤ格子上の、４つの重みを計算するのに用いられる画素の組と示すと、最適化における平均平方誤差（ＭＳＥ）は、元のＳＤ画素ＦSDと補間されたＳＤ画素ＦSIとの間の平方された差の和として書くことができる。
【００２５】
【数３】
2006500812.tif 000005
これは行列式で書くと、
【００２６】
【数４】
2006500812.tif 000006
となる。ここで、
【００２７】
（外１）
2006500812.tif 000007
は、Ｍ内のＳＤ画素（画素ＦSD（１，１）乃至ＦSD（１，４）、ＦSD（２，１）乃至ＦSD（２，４）、ＦSD（３，１）乃至ＦSD（３，４）、ＦSD（４，１）乃至ＦSD（４，４））を含み、Ｃは４×Ｍ2行列であり、そのｋ番目の行は、
【００２８】
（外２）
2006500812.tif 000008
内の各ＳＤ画素の４つの対角ＳＤ近傍の加重和から構成される。
【００２９】
各行の加重和は、式３で用いられるようなＦSIを示す。最小ＭＳＥ、即ちＬＭＳを見つけるために、
【００３０】
（外３）
2006500812.tif 000009
に対するＭＳＥの導関数が計算される。
【００３１】
【数５】
2006500812.tif 000010
式７を解くことにより、フィルタ係数が見つけられ、式２を用いることにより、ＨＤ出力画素の画素値が計算されうる。
【００３２】
この例では、フィルタ係数の計算のために４×４の画素のウィンドウが用いられる。４×４ではなく８×８のより大きいウィンドウ上でのＬＭＳ最適化は、よりよい結果を与える。
【００３３】
図２Ａは、本発明による方法の実施例を説明するために２つのＳＤ入力画像２０２、２０４を概略的に示す。２つの入力画像２０２、２０４は夫々、例えばＸ印で示される２１０乃至２２０等の多数の画素を有する。ＨＤ出力画素が計算されねばならないと想定する。このＨＤ出力画素に対応する位置は、入力画像２０２のうちの最初のものの中に示される。例えばＳＤ入力画素２１２と乗算されるべき第１のフィルタ係数の計算のために、図１Ｂに関して説明したように一組の式を解く必要がある。これらの式の既知の成分は、入力画像２０２のうちの最初のものの入力画像の第１の部分２０６から得られた画素値２１０乃至２１５に対応するが、入力画像２０４のうちの２番目の入力画像の第２の部分２０８から得られた画素値、例えば２１６乃至２２０にも対応する。望ましくは、特定の画素２１２の第１のフィルタ係数を決定するのに用いられる画素値は、局所近傍から取得される。これは、特定の画素２１２に連結される画素が、例えば上、下、右、左、及び対角の画素に加えられることを意味する。第２の画像の画素値もまた、第１の画像内の局所近傍に対応する局所近傍から取得される。入力画像２０２のうちの最初のものの第１の部分２０６及び入力画像２０４のうちの２番目のものの第２の部分２０８は、空間的に対応する。これは、第１の部分２０６の全ての夫々の画素は、第２の部分２０８の対応する画素と同じ座標を有することを意味する。これは、図２Ｂに示すような画像部分２０６及び２２２の場合には当てはまらない。
【００３４】
図２Ｂは、本発明による方法の他の実施例を説明する２つの画像２０２、２０４を概略的に示す図である。入力画像２０２のうちの最初のものの第１の部分２０６と入力画像２０４のうちの２番目のものの第３の部分２２２は、動き軌跡に配置される。第１の部分２０６と第３の部分２２２の間の関係は、動き推定器によって計算された動きベクトル２３０によって決定される。この動き推定器は、ジー・デ・ハーン（G.  de  Haan）外著、「True-Motion  Estimation  with  3-D  Recursive  Search  Block  Matching」、ＩＥＥＥビデオ技術についての回路及びシステムに関する報告書、第３巻、第５号、第３６８乃至３７９頁、１９９３年１０月、に記載された動き推定器でありうる。この場合、撮像されているシーン中には対象の動きがあっても、２つの画像部分の夫々の画素は、略等しい画像内容に対応する。
【００３５】
図２Ｃは、本発明による画像変換ユニット２００の実施例を概略的に示す図である。画像変換ユニット２００は、入力コネクタ１０８に標準精細度（ＳＤ）画像が与えられ、出力コネクタ１１０に高精細度（ＨＤ）画像が与えられる。ＳＤ入力画像は、ＣＣＩＲ−６０１で指定される画素行列、例えば６２５×７２０画素又は５２５×７２０画素、を有する。ＨＤ出力画像は、例えば、水平及び垂直方向の画素の数の２倍又は１．５倍の画素行列を有する。画像変換ユニット２００は、以下のものを含む。
・多数のＳＤ入力画像の多数の画素の記憶用のメモリ装置。
・出力画素ＨＤの位置に対応する、第１のＳＤ入力画像内の特定の位置の第１の近傍内のＳＤ入力画像のうちの最初のものからの画素の第１の画素値の組と、
特定の位置の第２の近傍内の第１のＳＤ入力画像からの画素の第２の画素値の組と、
特定の位置の第３の近傍内のＳＤ入力画像のうちの２番目の入力画像からの画素の第３の画素値の組と、
特定の位置の第４の近傍内のＳＤ入力画像のうちの３番目の入力画像からの画素の任意の第４の画素値の組と、を取得するように配置された、画素取得ユニット１０２。
・第１、第２、第３、及び任意の第４の画素値の組に基づいてフィルタ係数を計算するようにされたフィルタ係数計算ユニット１０６。換言すれば、フィルタ係数は、第１のＳＤ入力画像内に配置され第２のＳＤ入力画像へ及び任意に第３のＳＤ入力画像へ延びる局所ウィンドウ内のＳＤ入力画像から近似される。望ましくは、第２のＳＤ入力画像及び第３のＳＤ入力画像は、ＳＤ入力画像のシーケンス中の第１のＳＤ入力画像に夫々先行及び後続する。フィルタ係数の近似は、図１Ｂ、図２Ａ、及び図２Ｂに関連して説明される最小平均平方（ＬＭＳ）法を用いて行われる。
・第２の画素値の組に基づいてＨＤ出力画像の画素値を計算する適応フィルタユニット１０４。ＨＤ出力画素は、第１の画素値の組の画素値の加重和として計算される。
【００３６】
画像変換ユニット２００は、図２Ｂに関連して説明したように、夫々の動き軌跡上にある、ＳＤ入力画像シーケンスの連続するＳＤ入力画像内の画素値の取得のために画素取得ユニット１０２によって加えられるべき動きベクトルを与える入力コネクタ１１４を任意に有する。
【００３７】
近傍で取得される画素の数、即ちウィンドウのサイズは、偶数（４×４）であっても、奇数（５×５）であってもよい。それ以外に、ウィンドウの形状は矩形である必要はない。また、第１の画像から取得される画素の数及び第２の画像から取得される画素の数は、互いに等しい必要はない。
【００３８】
画素取得ユニット１０２、フィルタ係数計算ユニット１０６、及び適応フィルタユニット１０４は、１つのプロセッサを用いて実施される。通常は、これらの関数は、ソフトウエアプログラムプロダクトの制御下で行われる。実行中、通常はソフトウエアプログラムプロダクトは、ＲＡＭ等のメモリにロードされ、そこから実行される。プログラムは、ＲＯＭ、ハードディスク、又は磁気的に及び／又は光学的記憶装置等のバックグランドメモリからロードされてもよく、又は、インターネット等のネットワークを介してロードされてもよい。任意に、特定用途向け集積回路が、開示された機能を提供する。
【００３９】
ＳＤ入力画像をＨＤ出力画像へ変換するために、多数の処理ステップが必要である。図３Ａ乃至図３Ｄにより、これらの処理ステップが説明される。図３Ａは、ＳＤ入力画像を概略的に示す。図３Ｄは、図３ＡのＳＤ入力画像から得られたＨＤ出力画像を概略的に示し、図３Ｂ及び図３Ｃは中間の結果を概略的に示す。
【００４０】
図３Ａは、ＳＤ入力画像を概略的に示す。各Ｘ印は夫々の画素に対応する。
【００４１】
図３Ｂは、解像度を高めるために画素が加えられた図３ＡのＳＤ入力画像を概略的に示す。加えられた画素は、＋印で示される。これらの追加的な画素は、夫々の対角近傍の補間によって計算される。補間のためのフィルタ係数は、図２Ｂに関して説明したように決定される。
【００４２】
図３Ｃは、図３Ｂの画像を４５度だけ回転させた後のものを概略的に示す図である。図３Ａに基づいて図３Ｂに示すように画像を計算するために適用されたのと同じ画像変換ユニット２００が、図３Ｂに示すような画像に基づいて図３Ｄに示す画像を計算するのに用いられ得る。これは、新しい画素値が、夫々の対角近傍の補間によって計算されることを意味する。これらの対角近傍（Ｘ印で示す）の第１の部分は、ＳＤ入力画像の元の画素値に対応し、これらの対角近傍（＋印で示す）の第２の部分は、補間によりＳＤ入力画像の元の画素値から得られた画素値に対応する。
【００４３】
図３Ｄは、最終的なＨＤ出力画像を概略的に示す図である。最後の変換段階で加えられた画素は、Ｏ印で示されている。
【００４４】
図４は、本発明による画像処理装置４００の実施例を概略的に示す図であり、以下のものを含む。
・ＳＤ画像を表わす信号を受信する受信手段４０２。信号は、アンテナ又はケーブルを介して受信された放送信号であってもよいが、ＶＣＲ（ビデオ・カセット・レコーダ）又はディジタル・バーサタイル・ディスク（ＤＶＤ）等の記憶装置からの信号であってもよい。信号は、入力コネクタ４０８で与えられる。
・図２Ｂに関連して説明した画像変換ユニット４０４。
・画像変換ユニット２００のＨＤ出力画像を表示する表示装置４０６。この表示装置４０６は任意である。
【００４５】
画像処理装置４００は、例えばテレビジョン受像機でありうる。或いは、画像処理装置４００は、任意の表示装置を有さないが、表示装置４０６を有する装置へＨＤ画像を与える。すると、画像処理装置４００は、例えば、セットトップボックス、衛星チューナ、ＶＣＲプレーヤ、又はＤＶＤプレーヤでありうる。しかし、これは、映画スタジオ又は放送局によって与えられるシステムであってもよい。
【００４６】
上述の実施例は、本発明を制限するものではなく例示するものであって、当業者は、添付の特許請求の範囲を逸脱することなく他の実施例を設計することが可能となろう。特許請求の範囲において、括弧内に記載の参照符号は特許請求の範囲を制限するものと理解されるべきではない。「有する」、「含む」の後は、請求項に列挙した要素又は段階以外の要素又は段階の存在を排除するものではない。単数形で記載された要素は、かかる要素が複数存在する場合を排除するものではない。本発明は、いくつかの別個の要素を有するハードウエアによって、また、適当にプログラムされたコンピュータによって実施されうる。いくつかの手段を有する装置に関する請求項では、これらの手段のうちの幾つかは同一のハードウエア内で実現されうる。
【図面の簡単な説明】
【００４７】
【図１Ａ】従来技術による画像変換ユニットの実施例を概略的に示す図である。
【図１Ｂ】従来技術による方法を説明するために多数の画素を概略的に示す図である。
【図２Ａ】本発明による方法の実施例を説明するために２つの画像を示す図である。
【図２Ｂ】本発明による方法の他の実施例を説明するために２つの画像を示す図である。
【図２Ｃ】本発明による画像変換ユニットの実施例を概略的に示す図である。
【図３Ａ】ＳＤ入力画像を概略的に示す図であり、
【図３Ｂ】解像度を高めるために画素がその上に加えられる図３ＡのＳＤ入力画像を概略的に示す図である。
【図３Ｃ】図３Ｂの画像を４５度に亘って回転したものを概略的に示す図である。
【図３Ｄ】図３ＡのＳＤ入力画像から得られるＨＤ出力画像を概略的に示す図である。
【図４】本発明による画像処理装置の実施例を概略的に示す図である。
2006500812.tif 000011
2006500812.tif 000012
2006500812.tif 000013
【図４】
2006500812.tif 000014
2006500812.tif 000015
【国際調査報告】
2006500812.tif 000016
2006500812.tif 000017